(57)【特許請求の範囲】
【請求項１】
コネクタハウジングと、該コネクタハウジングに収容された複数の端子とを備え、導体回路を形成した配線基板の端部に固定されて、該端子が該導体回路に接触する基板用コネクタにおいて、
前記コネクタハウジングは、一方のハウジングと、該一方のハウジングに相対向して位置する他方のとからなり、双方のハウジングを相近接する方向に移動させる操作レバーが該双方のハウジングに連結され、該操作レバーに揺動自在に連結するとともに、その揺動範囲を規制する補助レバーが該一方のハウジングに連結され、該操作レバーと該補助レバーとの協働作用で、該双方のハウジングの間に前記配線基板が挟持され、かつ、
前記他方のハウジングには、ガイド用の一対の立壁が設けられ、該一対の立壁の間に前記補助レバーが位置することを特徴とする基板用コネクタ。
【請求項２】
前記操作レバーは、操作部と、該操作部の両側に繋がる一対のアームとを備え、該アームには、前記双方のハウジングに回動自在に連結する連結部が設けられ、該操作部には、前記補助レバーとスライド自在に連結する差込部が設けられたことを特徴とする請求項１記載の基板用コネクタ。
【請求項３】
前記差込部は切欠とスライドピンとから成り、前記補助レバーには該スライドピンに係合する長孔が設けられたことを特徴とする請求項２記載の基板用コネクタ。
【請求項４】
前記補助レバーと前記アームの各々の基板連結側の部分がへの字状を成していることを特徴とする請求項２又は請求項３に記載の基板用コネクタ。
【請求項５】
前記一方のハウジングと前記他方のハウジングの双方に端子収容室がそれぞれ設けられ、該端子収容室に収容された前記端子が、前記配線基板の前記導体回路に続いて表裏両面に形成された端子部に対応して位置することを特徴とする請求項１〜請求項４の何れか１項に記載の基板用コネクタ。
【請求項６】
前記他方のハウジングに係止部が設けられ、前記配線基板に該係止部と係合する係合部が設けられたことを特徴とする請求項１〜請求項５の何れか１項に記載の基板用コネクタ。
【発明の詳細な説明】
【０００１】
【発明の属する技術分野】
本発明は、電気接続箱等に収容されて内部回路を構成する配線基板にゼロ挿入力で固定される基板用コネクタに関するものである。
【０００２】
【従来の技術】
従来から、自動車等のエンジンルームやインストルメントパネル廻りには、電気機器に対する給電や、電子部品相互間の信号の授受や、内部回路の分岐等を集約的に行うために、ジャンクションボックスや電気接続箱が使用されている。
【０００３】
電気接続箱は、ヒューズ、リレー、またはコネクタ等が実装されたプリント回路板と、内部回路を構成する導体回路が形成された配線基板とを備えたものであり、ジャンクションボックスは、前記配線基板と、この配線基板に接続される基板用コネクタとを備えたものである。なお、ジャンクションボックスを電気接続箱に含めて、総括的な意味で電気接続箱の用語を使用することもあり、本明細書でも電気接続箱の用語を総括的な意味で使用することとする。
【０００４】
電気接続箱には、車種や仕様に応じた導体回路が形成された配線基板が一枚または複数枚積層された状態で収容されている。この配線基板の端部や上部に、基板用コネクタが接続されて、電気機器等への電源の供給や、電子部品間の信号の授受が行われるようになっている。
【０００５】
図７は、この種の基板用コネクタに関連する技術の一例として、特開平９−８２４２７号公報に記載されたものである。基板用コネクタ８０は、コネクタハウジング８１と、コネクタハウジング８１に収容される第１の端子８５及び第２の端子８６と、レバー８７とを備えている。コネクタハウジング８１は、基台部８２と、その両側方に設けられた側壁部８４とから構成され、上方が開口した形状となっている。そして、基台部８２には、前方側と後方側のそれぞれの方向から切り込まれた多数のスリット８３ａ，８３ｂが形成されている。
【０００６】
第１、第２の端子８５，８６は、コネクタハウジング８１にこれらの端子８５，８６を組み込んだ状態でコネクタハウジング８１の幅方向において重ならないだけの長さを有しており、これにより隣接する第１、第２の端子８５，８６がコネクタハウジング８１の前後方向、幅方向に、位置が互い違いになるように配列されている。
【０００７】
レバー８７は、コネクタハウジング８１の上方に回動自在に支持され、水平方向に回動させることにより、配線基板８８を押圧固定できるようになっている。すなわち、レバー８７の回動中心側には湾曲した係止部（図示せず）が設けられ、この係止部と第２の端子８６の弾性支持片（図示せず）の先端が嵌合することにより、レバー８７が弾性支持片の先端を中心として回動自在に支持されるようになっている。
【０００８】
また、レバー８７の先端側面には、凸部８７ａが設けられ、レバー８７を水平方向に回動させた際にこの凸部８７ａがコネクタハウジング８１の側壁部８４の凹部８４ａに嵌合することでレバー８７が容易に開かない構造となっている。
【０００９】
配線基板８８の裏面には、基板用コネクタ８０と電気的に接触するための多数の端子部（図示せず）が前後２列に設けられており、前列側の端子部が第２の端子８６の接点部８６ａと接触し、後列側の端子部が第１の端子８５の接点部８５ａと接触するようになっている。
【００１０】
このような構成によれば、高密度に端子８５，８６を配列することができるため、隣り合う端子８５，８６のピッチが狭くなり、コネクタの小型化を図ることができる。
【００１１】
【発明が解決しようとする課題】
しかしながら、上記従来の基板用コネクタでは、解決すべき以下の問題点がある。
【００１２】
自動車等に搭載される電気機器や電子部品の増加により、エンジンルームやインストルメントパネル廻りの設置スペースは狭小化の傾向にあり、電気接続箱等の小型化が要請されている。他方、電子部品間の信号の授受を行う信号線の数は増加し、導体回路の高密化や基板用コネクタの多極化が求められている。
【００１３】
従来技術の欄で説明した基板用コネクタ８０は、隣り合う端子８５，８６を平面的に前後２列に配列して、端子８５，８６の狭ピッチ化を図った基板用コネクタ８０であるが、いわゆる片面配線基板にしか適用することができず、両面に端子部が形成された配線基板には適用することができない構造になっている。
【００１４】
また、前記基板用コネクタ８０は、配線基板８８の一側端部に固定されるものであるゆえ、配線基板の隣り合う両端部に端子部を有する配線基板には適用することができないものである。すなわち、導体回路を構成する配線導体が、配線基板の隣り合う両端部に引き出されて端子部を形成する配線基板には、適用することができないものである。
【００１５】
さらに、基板用コネクタ８０のレバー８７を回動させることにより、配線基板８８が基板用コネクタ８０に押圧固定されるようになっているが、不用意に配線基板８８に引張力が作用した場合には、配線基板８８が基板用コネクタ８０から抜け出す虞がある。
【００１６】
本発明は、上記した点に鑑み、表裏両面に導体回路が形成された配線基板に適用することができ、端子の多極化を図ることができ、配線基板との電気的接続の信頼性が高く、ゼロ挿入力で配線基板と嵌合する基板用コネクタを提供することを目的とする。
【００１７】
【課題を解決するための手段】
上記目的を達成するために、請求項１記載の発明は、コネクタハウジングと、該コネクタハウジングに収容された複数の端子とを備え、導体回路を形成した配線基板の端部に固定されて、該端子が該導体回路に接触する基板用コネクタにおいて、前記コネクタハウジングは、一方のハウジングと、該一方のハウジングに相対向して位置する他方のハウジングとからなり、双方のハウジングを相近接する方向に移動させる操作レバーが該双方のハウジングに連結され、該操作レバーに揺動自在に連結するとともに、その揺動範囲を規制する補助レバーが該一方のハウジングに連結され、該操作レバーと該補助レバーとの協働作用で、該双方のハウジングの間に前記配線基板が挟持され、かつ、前記他方のハウジングには、ガイド用の一対の立壁が設けられ、該一対の立壁の間に前記補助レバーが位置することを特徴とする。
【００１８】
上記構成によれば、コネクタハウジングが、一方のハウジングと他方のハウジングとからなっているから、双方のハウジングの間に配線基板が摺接することなくゼロ挿入力で嵌合し、双方のハウジングを相近接する方向に移動させる操作レバーが双方のハウジングに連結しているから、操作レバーを揺動させることにより、配線基板が双方のハウジングの間に狭持される。また、一方のハウジングに連結された補助レバーによって、操作レバーが揺動自在に支持されるとともに、その揺動範囲が規制される。
さらに、上記構成によれば、他方のハウジングに立壁が設けられ、ガイド用の一対の立壁の間に補助レバーが位置するから、他方のハウジングは補助レバーに当接することで、補助レバーは立壁に当接することでそれぞれが位置決めされ、配線基板に対する基板用コネクタの位置ずれが防止される。
【００１９】
また、請求項２記載の発明は、請求項１記載の基板用コネクタにおいて、前記操作レバーは、操作部と、該操作部の両側に繋がる一対のアームとを備え、該アームには、前記双方のハウジングに回動自在に連結する連結部が設けられ、該操作部には、前記補助レバーとスライド自在に連結する差込部が設けられたことを特徴とする。
【００２０】
上記構成によれば、アームにコネクタハウジングに回動自在に連結する連結部が設けられているから、アームの揺動に連動して双方のハウジングが移動して、双方のハウジングが互いに近接又は接離する。操作部には、補助レバーとスライド自在に連結する差込部が設けられているから、操作レバーと補助レバーの動作がスムーズに行われるとともに、操作レバーの揺動が規制される。
【００２１】
また、請求項３記載の発明は、請求項２記載の基板用コネクタにおいて、前記差込部は切欠とスライドピンとから成り、前記補助レバーには該スライドピンに係合する長孔が設けられたことを特徴とする。
【００２２】
上記構成によれば、差込部がスライドピンを備え、補助レバーにスライドピンと係合する長孔が設けられているから、操作レバーと補助レバーとがスライド自在に連結し、操作レバーの揺動に連動してスライドピンが長孔内を往復運動する。
【００２３】
また、請求項４記載の発明は、請求項２又は請求項３に記載の基板用コネクタにおいて、前記補助レバーと前記アームの各々の基板連結側の部分がへの字状を成していることを特徴とする。
【００２４】
上記構成によれば、補助レバーとアームの各々の基板連結側の部分がへの字状を成しているから、基板用コネクタに配線基板を固定するため、操作レバーを倒した際に、補助レバーとアームとが折り畳まれて、コネクタハウジングに重なり合う。
【００２７】
また、請求項５記載の発明は、請求項１〜請求項４の何れか１項に記載の基板用コネクタにおいて、前記一方のハウジングと前記他方のハウジングの双方に端子収容室がそれぞれ設けられ、該端子収容室に収容された前記端子が、前記配線基板の前記導体回路に続いて表裏両面に形成された端子部に対応して位置することを特徴とする。
【００２８】
上記構成によれば、一方のハウジングと他方のハウジングの双方に端子収容室が設けられているから、端子収容室に収容された端子が上下二段に位置し、配線基板の導体回路に続いて表裏両面に形成された端子部と電気的に接触し、内部回路が導通する。
【００２９】
また、請求項６記載の発明は、請求項１〜５の何れか１項に記載の基板用コネクタにおいて、前記他方のハウジング２５に係止部２７が設けられ、前記配線基板６０に該係止部２７と係合する係合部６９が設けられたことを特徴とする。
【００３０】
上記構成によれば、他方のハウジングに係止部が設けられているから、配線基板が基板用コネクタに挟まれた後、配線基板の係合部がハウジングの係止部に係合して配線基板が固定される。
【００３１】
【発明の実施の形態】
以下に本発明の実施の形態の具体例を図面を用いて詳細に説明する。
図１〜図６は、本発明に係る基板用コネクタの一実施形態を示すものである。
【００３２】
図１に示す基板用コネクタ１０は、表裏両面に導体回路が形成されたプリント配線板（配線基板）６０に適用されて、電子部品間の信号の授受を行うコネクタである。
【００３３】
基板用コネクタ１０は、コネクタハウジング１１と、コネクタハウジング１１の端子収容室１９，３１に収容される複数の端子金具（端子）５５と、コネクタハウジング１１の外壁（壁部）１６，２６に連結する操作レバー３５と、操作レバー３５にスライド自在に連結する補助レバー４５とを備えたものである。コネクタハウジング１１、操作レバー３５、補助レバー４５は、合成樹脂等を構成材料とし、射出成形法により成形されている。端子金具５５（図６）は、導電性金属を構成材料とし、金属板を打ち抜き・折り曲げ加工して形成されている。
【００３４】
コネクタハウジング１１は、固定側ハウジング（一方のハウジング）１５と、可動側ハウジング（他方のハウジング）２５とに上下に分割して構成されている。双方のハウジング１５，２５は、平面視、Ｌ字状に形成されるとともに、コーナ部３２を通る分割線ＣＬ１に対してはバランス良く左右対称に形成されている。
【００３５】
固定側ハウジング１５と可動側ハウジング２５との間には、プリント配線板６０に対する嵌合スペース１３が形成されている。嵌合スペース１３は、プリント配線板６０の板厚より大きい寸法に開口しており、プリント配線板６０がゼロ挿入力でコネクタハウジング１１に嵌合することができるようになっている。プリント配線板６０が嵌合した後は、後述する操作レバー３５を傾倒することにより、双方のハウジング１５，２５が相近接して、プリント配線板６０が挟持されるようになっている。
【００３６】
ここで、説明の都合上、コネクタハウジング１１の前・後、上・下の区別を以下のように定めることとする。プリント配線板６０の嵌合する側を前側とし、電線７８の引き出される側を後側とする。操作レバー３５と補助レバー４５とが備わる側を上側とし、その反対側を下側とする。なお、左右方向は、操作レバー３５が外壁１６，２６に連結する方向とするが、コネクタハウジング１１は左右対称であるため、左と右の区別はしないこととする。
【００３７】
双方のハウジング１５，２５の外壁１６，２６は、上・下壁１６ａ，１６ｂ，２６ａ，２６ｂと、プリント配線板６０に嵌合する側の前壁１６ｃ，２６ｃと、端子金具５５に接続する電線７８が引き出される側の後壁１６ｄ，２６ｄと、両側の側壁１６ｅ，１６ｆ（図示せず），２６ｅ，２６ｆとからなっている。固定側ハウジング１５及び可動側ハウジング２５の双方には、前後方向に貫通した端子収容室１９，３１が配設されている。可動側ハウジング２５の上壁２６ａには一対の立壁２８と、各立壁２８の端部に続き直角に相反する方向に曲がる係止壁３０とが形成されている。
【００３８】
可動側ハウジング２５の両側の下壁２６ｂには、プリント配線板６０の欠部（係合部）６９（図３）に係合する突起部（係止部）２７（図４）が設けられている。欠部６９は、プリント配線板６０の対向する一対のコーナ部６８ｃ，６８ｄに設けられている。なお、プリント配線板６０に突起部を設け、可動側ハウジング２５に欠部を設けてもよい。
【００３９】
端子収容室１９，３１は、双方のハウジング１５，２５に設けられているから、コネクタハウジング１１全体としてみれば、上下二段に端子収容室１９，３１が配設されている。各端子収容室１９，３１は、隣り合う端子金具５５が短絡しないように、各室毎に隔壁（図示せず）で仕切られている。
【００４０】
複数の端子収容室１９，３１には、プリント配線板６０の端子部７６（図３）に等しい数の端子金具５５が収容されるようになっている。上下の各端子収容室１９，３１は、プリント配線板６０の端子部７６に対応するように互い違いに配列している。これにより、端子金具５５と端子部７６とが一対一で相互接続するようになっている。
【００４１】
図１に示すように、分割線ＣＬ１を挟んで左右対称に位置する端子収容室１９，３１は、向く方向が全て揃っている。すなわち、全ての端子収容室１９，３１は同一方向を向いて配列されている。端子収容室１９，３１の向く方向は、分割線ＣＬ１の方向に一致し、本実施形態では４５゜方向である。これは、本実施形態の基板用コネクタ１０が、図２又は図３に示す方形状のプリント配線板６０に適用されるからであって、このプリント配線板６０の対角線ＣＬ２の方向が４５゜方向だからである。従って、プリント配線板６０の形状が変われば、端子収容室１９，３１の向く方向も変わり、例えば、プリント配線板６０が長方形や平行四辺形である場合には、対角線ＣＬ２の方向が４５゜方向ではないため、端子収容室１９，３１の向く方向は、４５゜より小さい角度になったり、大きい角度になったりすることもある。
【００４２】
立壁２８は、可動側ハウジング２５のコーナ部３２の分割線ＣＬ１に沿って一対設けられている。この立壁２８の内壁面２８ａは、上壁２６ａに凹設されたスロット２９の溝壁面２９ａ（図４）と面一に形成されている。すなわち、一対の立壁２８を設けることで、スロット２９が上下方向に深くなり、後述する補助レバー４５が両側の壁で確実に拘束されるようになっている。
【００４３】
係止壁３０は、立壁２８の前端部に繋がり、分割線ＣＬ１に対して垂直に形成されている。後述する操作レバー３５の操作部３６に対しては、平行に形成されている。この係止壁３０には、操作部３６のテーパ部３７と係合する爪部３０ａが形成されている。爪部３０ａは、係止壁３０の上端部に沿って形成されており、操作レバー３５のテーパ部３７と係合することで、操作レバー３５の係止が外れないようになっている。
【００４４】
操作レバー３５は、操作部３６と、操作部３６の両側に繋がる一対のアーム４０とからなっている。操作部３６は、分割線ＣＬ１に対して直交する方向に延びる平板状の板部材である。操作部３６の中央部には、補助レバー４５に対する差込部３８が設けられている。
【００４５】
差込部３８は、切欠３８ｂと、切欠３８ｂの内壁３８ａに突設されたスライドピン３９とからなっている（図４、図５）。スライドピン３９には、補助レバー４５の他端に形成された枠状の長孔４６がスライド自在に連結するようになっている。スライドピン３９に、補助レバー４５の長孔４６が連結することで、操作レバー３５が揺動自在に支持されるとともに、その揺動が規制されて、操作レバー４５の操作性が向上するようになっている。
【００４６】
アーム４０は、コネクタハウジング１１の外壁１６，２６に係合孔（連結部）４０ａ，４０ｂを介してすべり対偶で回動自在に連結している。すなわち、固定側ハウジング１５と可動側ハウジング２５の両側の側壁１６ｅ，１６ｆ，２６ｅ，２６ｆに形成された各ピン１７，３３に、一対の係合孔４０ａ，４０ｂを介して連結している。固定側ハウジング１５の両側の側壁１６ｅ，１６ｆには、第１のピン１７（片方しか図示せず）が形成され、可動側ハウジング２５の両側の側壁２６ｅ，２６ｆには、第２のピン３３（片方しか図示せず）が形成されている。アーム４０は、その先端側においてへの字状に湾曲しているが、これは、アーム４０を倒した際に、操作部３６が可動側ハウジング２５の上面と平行に重なるようにするためである。
【００４７】
図４には操作部３６を起こした状態の図が示され、図５には操作部３６を倒した状態の図が示されているように、アーム４０を第１のピン１７を支点として揺動させると、第２のピン３３が第１のピン１７を基準にして弧状の回動軌跡を描き、固定側ハウジング１５に可動側ハウジング２５が近づいたり離れたりする。すなわち、操作部３６を倒した場合は（図５）、アーム４０が寝た状態となり、固定側ハウジング１５に対して可動側ハウジング２５が近接し、双方のハウジング１５，２５の嵌合スペース１３が狭くなる。他方、操作部３６を起こした場合は（図４）、アーム４０が立ち上がった状態となり、固定側ハウジング１５に対して可動側ハウジング２５が離間し、双方のハウジング１５，２５の嵌合スペースが広くなる。
【００４８】
図４に示すように、補助レバー４５は、一端側に固定側ハウジング１５の第３のピン１８にすべり対偶で回動自在に連結する係合孔４７を備え、他端側に操作レバー３５とスライド自在に連結する長孔４６を備えている。補助レバー４５の長孔４６は、枠状に形成されており、その枠内に操作部３６のスライドピン３９が係合し、操作レバー３５の揺動と連動してスライドピン３９が枠内を往復運動するようになっている。また、補助レバー４５の基板連結側の部分は、への字状に湾曲しており、操作レバー３５を倒した際に補助レバー４５が可動側ハウジング２５の上面と平行に重なるようになっている。
【００４９】
操作レバー３５を起こした場合は、長孔４６の一側にスライドピン３９が当接して、それ以上操作レバー３５を起こすことができなくなり、操作レバー３５の揺動が規制される。この状態は、プリント配線板６０の挿脱可能な状態である。他方、操作レバー３５を倒した場合は、スライドピン３９が長孔４６の反対側にスライドして、補助レバー４５と操作レバー３５とが重なり合う。この状態で、プリント配線板６０が双方のハウジング１５，２５の間に挟まれる。長孔４６の寸法は任意であり、長穴寸法を変えることによって操作レバー３５の揺動角β（揺動範囲）を変えることができるようになっている。
【００５０】
図２は、プリント配線板６０と基板用コネクタ１０との嵌合状態を示したものである。プリント配線板６０は、双方のハウジング１５，２５の嵌合スペース１３（図１）にゼロ挿入力で挿入され、奥側の壁に当接して挿入方向の位置決めが行われる。そして、操作レバー３５を倒すことにより、可動側ハウジング２５の突起部２７がプリント配線板６０の欠部６９に係合し、双方のハウジング１５，２５に上下方向から挟持されるようになっている。操作レバー３５は、係止壁３０の爪部３０ａに係止されて、操作レバー３５が不用意に起きあがらないようになっている。嵌合状態においては、端子金具５５と端子部７６とは相互接続した状態になっている。
【００５１】
図３は、基板用コネクタ１０からプリント配線板６０を取り外した状態を示したものである。プリント配線板６０を取り外す際には、上述した嵌合操作と逆の操作を行えばよい。すなわち、係止壁３０を撓ませながら操作レバー３５との係止を解除し、操作レバー３５を起こし、突起部２７と欠部６９との係止を外し、プリント配線板６０を引っ張ることにより、取り外しが容易に行われるようになっている。
【００５２】
図６に示すように、双方のハウジング１５，２５の嵌合スペース１３（図３等）には、電線７８付きの端子金具５５が延びている。端子金具５５は、上下二段の端子収容室１９，３１において、凸側の湾曲状の弾性接触部５７を対向させるようにして配置されている。図６（ａ）に示すように、向かい合う弾性接触部５７の間隔は、プリント配線板６０の板厚よりも幅広になっているが、図６（ｂ）に示すように、操作レバー３５（図１等）を倒した際には向かい合う弾性接触部５７の間隔は狭まり、プリント配線板６０の表裏両面の端子部７６（図３）が上下の弾性接触部５７に擦れて接触するようになっている。
【００５３】
端子金具５５は、導電性基板を打ち抜き、折り曲げ加工して形成されたものである。一側には電線接続部５６が形成され、他側にタブ状先端部５８が形成され、電線接続部５６とタブ状先端部５８との間に、湾曲状の前記弾性接触部５７が一体的に形成されている。
【００５４】
電線接続部５６は、芯線を加締める芯線加締部と、被覆線を加締める被覆線加締部とからなり、それぞれが一対の圧着片で構成されている。弾性接触部５７は、端子部７６に接触して内部回路を導通させる接触部であり、その湾曲形状によって弾性的に接触し、適度な接触圧が維持されるようになっている。
【００５５】
タブ状先端部５８は、端子収容室１９，３１の図示しない孔部に差し込まれて動かないように固定されている。端子金具５５には、図示しない係止孔が設けられていて、端子収容室１９，３１の図示しない係止突起と係合することにより後抜けが防止されるようになっている。なお、端子金具５５に係止突起を設け、端子収容室１９，３１に係止孔を設けてもよい。
【００５６】
図２及び図３に示すプリント配線板６０については、別出願で詳細に説明することにし、ここでは簡単に説明することとする。プリント配線板６０は、矩形平板状をなしており、エポキシ樹脂等の有機材料で構成される絶縁基板６５に、配線導体７５が一体的にプリントされたものである。なお、本実施形態では、プリント配線板６０について説明するが、細幅の配線導体７５がインサート成形や接着等により、絶縁基板６５に形成されたものであってもよい。また、配線導体７５として、導電性の樹脂材を適用してもよい。
【００５７】
このプリント配線板６０は、表裏両面に導体回路が形成された、いわゆる両面プリント配線板である。両面プリント配線板は、片面プリント配線板に比べて配線導体数が２倍になるだけでなく、交差配線を必要とする複雑な配線を容易に形成することができるものである。
【００５８】
表裏両面にプリントされた導体回路は、互いに平行な所定ピッチの配線導体７５が規則的に並んで構成されている。配線導体７５には、数ミリアンペアの信号用の微小電流しか流れないため、配線導体７５が溶融して切れるなどの心配はない。
【００５９】
導体回路は、立体的に互い違いになるように表裏両面にプリントされている。表面側の導体回路は、行方向の導体回路を形成し、裏面側の導体回路は、列方向の導体回路をそれぞれ形成している。すなわち、両導体回路を構成する配線導体７５は、立体的に交差配線されている。
【００６０】
交差配線された配線導体７５の格子点Ｐは、マトリックス状に規則正しく整列している。格子点Ｐには、表裏両面を貫通する貫通孔が形成されている。貫通孔自体には、導電性がないため、そのままでは表裏両面の配線導体７５同士が電気的に相互接続することはない。配線導体７５同士を電気的に接続させるには、種々の方法があるが、格子点Ｐである貫通孔に貫通導体を選択的に形成することで、信号用の導通経路を形成するようにしている。貫通導体は、導電性のめっきを施した中空貫通導体であってもよいし、リベットピンやワイヤのような中実貫通導体であってもよい。
【００６１】
表裏両面の配線導体７５は、貫通導体を介して相互接続し、電気機器間や電子部品間の信号の授受を自由に行うことができるようになっている。すなわち、入力信号側と出力信号側の接続口を自由に選択でき、入出力信号のやりとりを導通経路に制限されることなく行うことができ、フレキシブルに内部回路を構成することが可能となっている。
【００６２】
プリント配線板６０の端部６６ａ，６６ｂ（図３）には、Ｌ字状の基板用コネクタ１０に収容される端子金具５５と接続する端子部７６が形成されている。端子部７６は、導体回路を構成する各配線導体７５の端末部に相当し、プリント配線板６０の隣り合う端部６６ａ，６６ｂに引き出されている。端子部７６を二辺の端部６６ａ，６６ｂから引き出すことで、入出力信号の極数が増加して、同時に多数の電気機器等の電子制御を行うことが可能となる。なお、入力側と出力側の位置は特に限定されるものではなく、二辺の端部６６ａ，６６ｂのどちらにでも選択的に設けることができる。
【００６３】
端子部７６は、表裏両面で互い違いに形成されている。互い違いの端子部７６のピッチは、配線導体７５のピッチの１／２倍に設定されている。すなわち、プリント配線板６０の端部６６ａ，６６ｂに引き出される端子部７６が、上下二段に互い違いに配列されることで、端子部７６の多芯化（多極化）を可能にしている。
【００６４】
端子部７６は、端部６６ａ，６６ｂの稜線６７ａ，６７ｂに対しては４５゜の傾斜角度α（図３）で、同方向に引き出されている。端子部７６を同方向に引き出すようにしたのは、プリント配線板６０の隣り合う端部６６ａ，６６ｂを、Ｌ字状の基板用コネクタ１０に同時に組み付けるためでもある。
【００６５】
なお、Ｌ字状の基板用コネクタ１０を分割して、プリント配線板６０の各端部６６ａ，６６ｂに別々に組み付けることもできるが、この場合は、端子部７６を４５゜方向に傾斜させる必要はなく、端部６６ａ，６６ｂの稜線６７ａ，６７ｂに直角に端子部７６を引き出せばよい。Ｌ字状の基板用コネクタ１０を用いた場合には、プリント配線板６０の両端部６６ａ，６６ｂを同時に嵌合することができるから、組付作業性が良いなどの利点もある。
【００６６】
また、端子部７６の傾斜角度αを４５゜としたのは、本実施形態のプリント配線板６０が、方形状を成しており、対向するコーナ部６８ａ，６８ｂを結ぶ対角線ＣＬ２の方向が４５゜方向だからである。
【００６７】
なお、このような表裏両面に導体回路の形成されたプリント配線板６０には、本実施形態の基板用コネクタ１０に限らず、別出願した基板用コネクタ等も適用可能である。
【００６８】
【発明の効果】
以上の如く、請求項１記載の発明によれば、コネクタハウジングが、一方のハウジングと他方のハウジングとに分割して構成されるとともに、双方のハウジングに操作レバーが連結しているから、双方のハウジングの間に配線基板が摺接することなく嵌合し、操作レバーを揺動させることにより配線基板が双方のハウジングに挟持される。一方のハウジングには、補助レバーが設けられているから、補助レバーによって操作レバーが支持されるとともに、操作レバーの揺動する角度が規制される。従って、基板用コネクタに配線基板をゼロ挿入力で嵌合することができ、相手方の端子部等の変形や破損を防止することができる。また、操作レバーの操作性が向上して、配線基板と基板用コネクタとを容易に組み付けることができる。
【００６９】
また、請求項２記載の発明によれば、操作部に補助レバーとスライド自在に連結する差込部が設けられ、アームにコネクタハウジングに連結する連結部が設けられているから、操作レバーと補助レバーの動作がスムーズに行われるとともに、操作レバーの揺動が規制され、また、アームの揺動に連動して双方のハウジングが移動して、双方のハウジングが相互に近接する。従って、操作レバーの操作性が向上するとともに、基板用コネクタに配線基板をゼロ挿入力で嵌合することができ、請求項１記載の発明の効果と同様の効果を奏する。
【００７０】
また、請求項３記載の発明によれば、差込部がスライドピンを備え、補助レバーにスライドピンと係合する長孔が設けられているから、操作レバーと補助レバーとがスライド自在に連結し、操作レバーの揺動に連動してスライドピンが長孔内を往復運動する。従って、操作レバーが補助レバーに揺動自在に支持され、操作レバーの操作の安定性が向上する。
【００７１】
また、請求項４記載の発明によれば、補助レバーとアームの各々の基板連結側の部分がへの字状を成しているから、基板用コネクタに配線基板を固定するため、操作レバーを倒した際に、補助レバーとアームとが折り畳まれて、コネクタハウジングに重なり合う。従って、補助レバーとアームとがコネクタハウジングの外側に出っ張ることが防止されて、外部との干渉が回避される。
【００７２】
また、請求項５記載の発明によれば、他方のハウジングに補助レバーを挟み込む立壁が設けられているから、他方のハウジングと補助レバーは相互に拘束されることで位置決めされる。従って、配線基板の端子部と基板用コネクタの端子の接触位置がずれることが防止され、電気的接続の信頼性が向上する。
【００７３】
また、請求項６記載の発明によれば、双方のハウジングに端子収容室が設けられているから、端子収容室に収容された端子が上下二段に位置し、配線基板の表裏両面に形成された端子部と電気的に接触する。従って、端子の多極化を図ることができるとともに、表裏両面に導体回路が形成された配線基板の端子部と接触して、高密度の内部回路を構成することができる。
【００７４】
また、請求項７記載の発明によれば、他方のハウジングに係止部が設けられているから、配線基板が基板用コネクタに挟まれた後、配線基板の係合部が基板用コネクタの係止部に係合して配線基板が固定される。従って、配線基板の抜き外れが確実に防止され、電気的接続の信頼性が向上する。
【図面の簡単な説明】
【図１】本発明に係る基板用コネクタの一実施形態を示す斜視図である。
【図２】図１に示す基板用コネクタに配線基板を嵌合した状態を示す斜視図である。
【図３】同じく基板用コネクタから配線基板を外した状態を示す斜視図である。
【図４】同じく基板用コネクタの操作レバーを起こした際の中央部付近の断面図である。
【図５】同じく基板用コネクタの操作レバーを倒した際の中央部付近の断面図である。
【図６】同じく基板用コネクタの端子を示す断面図であり、（ａ）は配線基板と接触する前の状態を示し、（ｂ）は配線基板と接触した状態を示す図である。
【図７】従来の基板用コネクタの一例を示す斜視図である。
【符号の説明】
１０                基板用コネクタ
１１                コネクタハウジング
１３                嵌合スペース
１５                固定側ハウジング（一方のハウジング）
１６，２６          外壁（壁部）
１７                第１のピン
１８                第３のピン
１９，３１          端子収容室
２５                可動側ハウジング（他方のハウジング）
２７                突起部（係止部）
２８                立壁
３０                係止壁
３０ａ              爪部（係止部）
３５                操作レバー
３６                操作部
３８                差込部
３８ｂ              切欠
３９                スライドピン
４０                アーム
４０ａ，４０ｂ      係合孔（連結部）
４５                補助レバー
４６                長孔
５５                端子金具（端子）
６０                プリント配線板（配線基板）
６５                絶縁基板
６９                欠部（係合部）
７５                配線導体
７６                端子部
【図１】
0003936596.tif 000002
【図２】
0003936596.tif 000003
【図３】
0003936596.tif 000004
【図４】
0003936596.tif 000005
【図５】
0003936596.tif 000006
【図６】
0003936596.tif 000007
【図７】
0003936596.tif 000008